(57)【要約】【課題】使用者の飛沫が外側に飛び散るのを防ぐことができるとともに、使用者の呼気による熱が立体型マスクの内側に籠らないので、従来の立体型マスクに比してマスクの内部が蒸れることがなく、さらに外気を楽に呼吸をすることもできて熱中症になりにくい立体型マスクの提供を課題とする。【解決手段】立体型マスク１は、マスク本体１０と、その両側に配設されている２つの紐状部材２１とによって構成されている。マスク本体１０の上縁部１１には、使用者自らが変型させることができる成型用プレート３１が配設されている。マスク本体１０の下縁部１４にも同様の成型用プレート３２が配設されている。マスク本体１０の側縁部１３の下端部には、その内部で紐状部材２１が遊動可能な遊動環２２が配設され、この遊動環２２を挿通している紐状部材２１の末端部には移動自在係止具２３が配設されている。【選択図】図８
0003227775.tif 000002
【実用新案登録請求の範囲】
【請求項１】
空気が流通可能な布状部材を、使用者の顔面の鼻の下側と口とを覆う形状に成型した立体型のマスク本体と、該マスク本体の左右に配設された耳掛紐部を構成する２つの紐状部材であって、前記マスク本体の側縁部の上端部にその一端側が係止され当該側縁部の下端部にその他端側が係止されている２つの紐状部材とを具えた立体型マスクにおいて、
前記マスク本体の上縁部には、当該上縁部に沿ってその全幅に亘って、変型可能な成型用プレートが配設され、
前記マスク本体の下縁部には、当該下縁部に沿ってその全幅に亘って、変型可能な成型用プレートが配設されていることを特徴とする立体型マスク。
【請求項２】
空気が流通可能な布状部材を、使用者の顔面の鼻の下側と口とを覆う形状に成型した立体型のマスク本体と、該マスク本体の左右に配設された耳掛紐部を構成する２つの紐状部材であって、前記マスク本体の側縁部の上端部にその一端側が係止され当該側縁部の下端部にその他端側が係止されている２つの紐状部材とを具えた立体型マスクにおいて、
前記マスク本体の上縁部には、その中央部分に当該上縁部に沿って変型可能な成型用プレートが配設され、
前記マスク本体の下縁部には、当該下縁部に沿ってその全幅に亘って、変型可能な成型用プレートが配設されていることを特徴とする立体型マスク。
【請求項３】
空気が流通可能な布状部材を、使用者の顔面の鼻の下側と口とを覆う形状に成型した立体型のマスク本体と、該マスク本体の左右に配設された耳掛紐部を構成する２つの紐状部材であって、前記マスク本体の側縁部の上端部にその一端側が係止され当該側縁部の下端部にその他端側が係止されている２つの紐状部材とを具えた立体型マスクにおいて、
前記マスク本体の上縁部には、当該上縁部に沿ってその全幅に亘って、変型可能な成型用プレートが配設され、
前記マスク本体の下縁部には、その中央部分に当該下縁部に沿って変型可能な成型用プレートが配設されていることを特徴とする立体型マスク。
【請求項４】
空気が流通可能な布状部材を、使用者の顔面の鼻の下側と口とを覆う形状に成型した立体型のマスク本体と、該マスク本体の左右に配設された耳掛紐部を構成する２つの紐状部材であって、前記マスク本体の側縁部の上端部にその一端側が係止され当該側縁部の下端部にその他端側が係止されている２つの紐状部材とを具えた立体型マスクにおいて、
前記マスク本体の上縁部には、その中央部分に当該上縁部に沿って変型可能な成型用プレートが配設され、
前記マスク本体の下縁部には、その中央部分に当該下縁部に沿って変型可能な成型用プレートが配設されていることを特徴とする立体型マスク。
【請求項５】
前記マスク本体の前記側縁部の上下端部の一方には前記紐状部材がその内部で遊動可能な遊動環が配設され、前記側縁部の上下端部の他方には前記紐状部材の一端側が固定され、当該紐状部材の他端側は前記遊動環に挿通され且つその末端部には当該紐状部材の他の任意の部位に係止可能な移動自在係止具が配設されていることを特徴とする請求項１ないし請求項４のいずれかの項に記載の立体型マスク。
【請求項６】
前記紐状部材は、伸縮自在の紐状部材であることを特徴とする請求項５に記載の立体型マスク。
【請求項７】
前記マスク本体の左右に配設された前記耳掛紐部のそれぞれは、上側紐状部材と下側紐状部材という一対の紐状部材によって構成されており、
前記上側紐状部材の一端側は前記マスク本体の前記側縁部の上端部に固定され、当該側縁部の下端部には前記下側紐状部材の一端側が固定され、
前記上側紐状部材と前記下側紐状部材との固定されていない他端側同士を継合することによって前記耳掛紐部が形成される構成となっていることを特徴とする請求項１ないし請求項４のいずれかの項に記載の立体型マスク。
【請求項８】
前記上側紐状部材および前記下側紐状部材は、伸縮自在の紐状部材であることを特徴とする請求項７に記載の立体型マスク。
【考案の詳細な説明】
【技術分野】
【０００１】
本考案は、冬のような寒い時期にも、夏のような暑い時期にも快適に使用することができる立体型マスクに関するものである。
【背景技術】
【０００２】
図９は、従来の「ノーズ・フィット・タイプ」と称されている立体型マスク１の構成を示した斜視図である。
【０００３】
図９に示したように、立体型マスク１は、使用者の顔面の鼻の下側と口とを覆う形状に成型されたマスク本体１０と、マスク本体１０の左右に配設された紐状部材２１からなる耳掛紐部２０とによって構成されている。
【０００４】
ここで、マスク本体１０は布や不織布や紙などの空気の流通が可能な布状部材によって構成されており、紐状部材２１はゴム紐等の伸縮自在な材料によって構成されている。この２本の紐状部材２１のそれぞれの一端側はマスク本体１０の側縁部１２，１３の上端部に係止されており、また、紐状部材２１のそれぞれの他端側は側縁部１２，１３の下端部に係止されている。
【０００５】
立体型マスク１を使用する人の鼻の付近に位置することになるマスク本体１０の上縁部１１の中央部分には、使用者自らが変型させることができる成型用プレート３１が、この上縁部１１に沿って、上から視て一直線状となるように配設されている。１４はマスク本体１０の下縁部である。
【０００６】
以上のように構成された立体型マスク１を装着する場合、使用者は先ず、図１０（ａ）に示したように、マスク本体１０で自らの顔面Ｆの鼻の下側と口とを覆い、左右の紐状部材２１を自らの両耳に掛ける。次に使用者は、上縁部１１に配設されている成型用プレート３１を自らの顔面Ｆに密着させるように変型させて立体型マスク１の装着を終了する。この立体型マスク１の装着が終了した時点での図１０（ａ）のｂ−ｂ断面図を図１０（ｂ）に示す。
【０００７】
図１０（ｂ）に示したように、従来の立体型マスク１の装着が終了した時点においては、マスク本体１０の上縁部１１は使用者の顔面Ｆに密着した状態となっており、また、マスク本体１０の下縁部１４も、両耳に掛けられた紐状部材２１に引っ張られて使用者の顎の下に密着した状態となっている。
【０００８】
使用者がマスク本体１０を装着している間は、以上の状態が維持されるので、使用者の飛沫がマスク本体１０の外側に飛び散ることはなく、また、外側の花粉等がマスク本体１０の内側に入り込む虞もない。
【考案の概要】
【考案が解決しようとする課題】
【０００９】
以上説明したように、所謂「ノーズ・フィット・タイプ」の従来の立体型マスク１は、冬の風邪のシーズンや春先の花粉症のシーズンに際しては、極めて好適な構成になっている。
【００１０】
しかしながら、花粉症のシーズンが終わった夏場に、この図９，図１０に示した従来の立体型マスク１を装着した場合には、マスク本体１０の周縁部が使用者の顔面Ｆに密着していて使用者の呼気による熱がマスク本体１０の内部に籠ってしまうために、マスク本体１０の内部が蒸れて使用者の不快感が増すとともに、甚だしい場合には使用者が熱中症になってしまうという事態の発生も懸念されている。
【課題を解決するための手段】
【００１１】
以上の問題点を解決するために、本考案の第１の手段は、空気が流通可能な布状部材を、使用者の顔面の鼻の下側と口とを覆う形状に成型した立体型のマスク本体と、該マスク本体の左右に配設された耳掛紐部を構成する２つの紐状部材であって、前記マスク本体の側縁部の上端部にその一端側が係止され当該側縁部の下端部にその他端側が係止されている２つの紐状部材とを具えた立体型マスクにおいて、前記マスク本体の上縁部には、当該上縁部に沿ってその全幅に亘って、変型可能な成型用プレートが配設され、前記マスク本体の下縁部には、当該下縁部に沿ってその全幅に亘って、変型可能な成型用プレートが配設されていることを特徴とするものである。
【００１２】
また、本考案の第２の手段は、空気が流通可能な布状部材を、使用者の顔面の鼻の下側と口とを覆う形状に成型した立体型のマスク本体と、該マスク本体の左右に配設された耳掛紐部を構成する２つの紐状部材であって、前記マスク本体の側縁部の上端部にその一端側が係止され当該側縁部の下端部にその他端側が係止されている２つの紐状部材とを具えた立体型マスクにおいて、前記マスク本体の上縁部には、その中央部分に当該上縁部に沿って変型可能な成型用プレートが配設され、前記マスク本体の下縁部には、当該下縁部に沿ってその全幅に亘って、変型可能な成型用プレートが配設されていることを特徴とするものである。
【００１３】
また、本考案の第３の手段は、空気が流通可能な布状部材を、使用者の顔面の鼻の下側と口とを覆う形状に成型した立体型のマスク本体と、該マスク本体の左右に配設された耳掛紐部を構成する２つの紐状部材であって、前記マスク本体の側縁部の上端部にその一端側が係止され当該側縁部の下端部にその他端側が係止されている２つの紐状部材とを具えた立体型マスクにおいて、前記マスク本体の上縁部には、当該上縁部に沿ってその全幅に亘って、変型可能な成型用プレートが配設され、前記マスク本体の下縁部には、その中央部分に当該下縁部に沿って変型可能な成型用プレートが配設されていることを特徴とするものである。
【００１４】
また、本考案の第４の手段は、空気が流通可能な布状部材を、使用者の顔面の鼻の下側と口とを覆う形状に成型した立体型のマスク本体と、該マスク本体の左右に配設された耳掛紐部を構成する２つの紐状部材であって、前記マスク本体の側縁部の上端部にその一端側が係止され当該側縁部の下端部にその他端側が係止されている２つの紐状部材とを具えた立体型マスクにおいて、前記マスク本体の上縁部には、その中央部分に当該上縁部に沿って変型可能な成型用プレートが配設され、前記マスク本体の下縁部には、その中央部分に当該下縁部に沿って変型可能な成型用プレートが配設されていることを特徴とするものである。
【００１５】
以上の第１〜第４の手段においては、前記マスク本体の前記側縁部の上下端部の一方には前記紐状部材がその内部で遊動可能な遊動環が配設され、前記側縁部の上下端部の他方には前記紐状部材の一端側が固定され、当該紐状部材の他端側は前記遊動環に挿通され且つその末端部には当該紐状部材の他の任意の部位に係止可能な移動自在係止具が配設されていてもよい。この場合、前記紐状部材は、伸縮自在の紐状部材であってもよい。
【００１６】
また、第１〜第４の手段においては、前記マスク本体の左右に配設された前記耳掛紐部のそれぞれは、上側紐状部材と下側紐状部材という一対の紐状部材によって構成されており、前記上側紐状部材の一端側は前記マスク本体の前記側縁部の上端部に固定され、当該側縁部の下端部には前記下側紐状部材の一端側が固定され、前記上側紐状部材と前記下側紐状部材との固定されていない他端側同士を継合することによって前記耳掛紐部が形成される構成となっていてもよい。この場合、前記上側紐状部材および前記下側紐状部材は、伸縮自在の紐状部材であってもよい。
【考案の効果】
【００１７】
本考案によれば、使用者の飛沫が外側に飛び散るのを防ぐことができるとともに、使用者の呼気による熱が立体型マスクの内側に籠らないので、従来の立体型マスクに比してマスクの内部が蒸れることがなく、さらに外気を楽に呼吸をすることもできて熱中症になりにくい立体型マスクを提供することができる。
【図面の簡単な説明】
【００１８】
【図１】本考案の実施例１の構成を示す斜視図である。
【図２】本考案の実施例１の正面から視た構成を示す構成図である。
【図３】本考案の実施例１の構成の説明図である。
【図４】本考案の実施例１の構成の説明図である。
【図５】本考案の実施例１の構成の説明図である。
【図６】本考案の実施例１の構成の説明図である。
【図７】本考案の実施例２の正面から視た構成を示す構成図である。
【図８】本考案の実施例２の構成の説明図である。
【図９】従来の立体型マスクの構成を示す斜視図である。
【図１０】従来の立体型マスクの構成の説明図である。
【考案を実施するための形態】
【００１９】
以下、図面を用いて本考案の実施例を説明する。
【実施例１】
【００２０】
図１は本考案の実施例１の構成を示す斜視図であり、その正面から視た構成を図２（ａ）に示す。図２（ｂ）は図２（ａ）の部分拡大図であり、図２（ｃ）は図２（ａ）の部分断面図である。
【００２１】
図１および図２に示す本実施例１において、図９に示した従来の立体型マスク１と同一符号のものは同一のものを示しているのでその説明は省略する。
【００２２】
図９に示した従来の立体型マスク１と本実施例１との異なるところは、本実施例１においては、マスク本体１０の上縁部１１のみならず下縁部１４にも、その中央部分に、使用者自らが変型可能な成型用プレート３２が下縁部１４に沿って配設されていることである。
【００２３】
さらに、本実施例１において従来例と異なるところは、マスク本体１０の側縁部１２，１３の下端部には、その内部で紐状部材２１が遊動可能な遊動環２２がそれぞれ配設されており、側縁部１２，１３の上端部にその一端側が固定されている紐状部材２１の他端側は、この遊動環２２を挿通してその末端部２１ｅに配設されている移動自在係止具２３によって紐状部材２１の他の任意の部位に係止可能となるように構成されていることである。このように遊動環２２と移動自在係止具２３とを配設することによって本実施例１においては、使用者は、紐状部材２１の長さを所望する長さに選ぶことができる。なお、本実施例１においては、マスク本体１０の側縁部１２，１３の下端部に遊動環２２が配設される構成となっているが、この遊動環２２を側縁部１２，１３の上端部に配設する構成としてもよい。
【００２４】
以上のように構成された本実施例１を装着する場合、使用者は図３（ａ）に示したように、マスク本体１０で自らの顔面Ｆの鼻の下側と口とを覆い、左右の紐状部材２１を自らの両耳に掛けて本実施例１の装着を終了する。この本実施例１の装着が終了した時点での図３（ａ）のｂ−ｂ断面図を図３（ｂ）に示す。
【００２５】
図３（ｂ）に示したように、この状態においては、装着前には上から視て一直線状になっている成型用プレート３１，３２は自身の弾性によって変形はするもののマスク本体１０の上縁部１１と下縁部１４とは共に使用者の顔面Ｆや顎の下側には密着せず、マスク本体１０の上縁部１１および下縁部１４と使用者との間には隙間が形成されることになる。この隙間を通して使用者は外気を呼吸することができるので、使用者は、図９に示した従来の立体型マスク比して楽に呼吸することができるとともに、使用者の呼気による熱もマスク本体１０の内部に籠ることなくマスク本体１０の内部が蒸れるようなこともない。
【００２６】
また、使用者の鼻の下側と口との前側にはマスク本体１０が位置しているので、使用者の飛沫がマスク本体１０の外側に飛び散ることもない。
【００２７】
ここで、使用者が自らの顔面Ｆの左右にある移動自在係止具２３を操作して左右の紐状部材２１の全長を長くすれば、図４（ａ），（ｂ）に示したように、マスク本体１０の上縁部１１および下縁部１４と使用者との間に形成されて隙間を広げることができ、使用者はより楽に呼吸をすることができるようになる。
【００２８】
以上説明したように、本実施例１においては、紐状部材２１の長さを使用者が自ら調整することができるように構成されているので、紐状部材２１はゴム紐のように伸縮自在な材料ではなく、伸縮性がない材料で構成することもできる。
【００２９】
さらに、紐状部材２１を、図５に示したように上側紐状部材２１ａと下側紐状部材２１ｂという一対の紐状部材で構成して、それぞれの一端側をマスク本体１０の側縁部の上下端部に固定するような構成としてもよい。このように構成した場合、紐状部材２１ａ，２１ｂのそれぞれの固定されていない他端側同士を図６に示したように結ぶことによって、使用者は耳掛紐部２０を構成する紐状部材の長さを自由に調整することができる。
【００３０】
なお、本実施例１においても、図３に示した本実施例１の装着状態で、成型用プレート３１，３２を使用者自らが、自らの顔面Ｆや顎の下側に密着させるように変型させれば、図９に示した従来の立体型マスクと同様の状態で使用することができる。
【実施例２】
【００３１】
図７は本考案の実施例２の正面から視た構成を示した図である。
【００３２】
図７において、先に説明した実施例１の構成（図２参照）と異なるところは成型用プレート３１，３２の長さだけであり、その他の部分の構成は実施例１と同様であるのでその説明は省略する。
【００３３】
本実施例２においては、成型用プレート３１はマスク本体１０の上縁部１１の全幅に亘って配設されており、また、成型用プレート３２はマスク本体１０の下縁部１４の全幅に亘って配設されている。
【００３４】
このように成型用プレート３１，３２を上下縁部１１，１４の全幅に亘って配設する構成とすれば、図８に示したように、実施例１に比して（図３参照）、使用者とマスク本体１０との間に形成される隙間を広くすることができる。
【００３５】
その他の作用・効果は、先に説明した実施例１と同じであるのでその説明は省略する。
【００３６】
以上、実施例１，実施例２で説明したように、マスク本体１０の上縁部１１および下縁部１４に成型用プレート３１，３２を配設する構成にすれば、本考案の効果は得ることができる。従って、マスク本体１０の上縁部１１の中央部分に成型用プレート３１を配設し下縁部１４の全幅に亘って成型用プレート３２を配設する構成としても本考案の効果を得ることができる。また、マスク本体１０の上縁部１１の全幅に亘って成型用プレート３１を配設し下縁部１４の中央部分に成型用プレート３２を配設する構成としても本考案の効果を得ることができる。
【符号の説明】
【００３７】
１      立体型マスク
１０    マスク本体
１１    上縁部
１２，１３    側縁部
１４    下縁部
２０    耳掛紐部
２１    紐状部材
２１ａ    上側紐状部材
２１ｂ    下側紐状部材
２１ｅ    末端部
２２    遊動環
２３    移動自在係止具
３１，３２    成型用プレート
Ｆ      顔面
【図１】
0003227775.tif 000003
【図２】
0003227775.tif 000004
【図３】
0003227775.tif 000005
【図４】
0003227775.tif 000006
【図５】
0003227775.tif 000007
【図６】
0003227775.tif 000008
【図７】
0003227775.tif 000009
【図８】
0003227775.tif 000010
【図９】
0003227775.tif 000011
【図１０】
0003227775.tif 000012